(57)【要約】【課題】有孔の遮音材を用いるものでありながら、高い遮音性能を確保でき、しかも、それを容易に実現することができる有孔遮音構造を提供する。【解決手段】機械音などの特定周波数域の遮音対象音の遮音を対象とし、壁などに用いられるＡＬＣ板などからなる有孔遮音材のコインシデンス限界周波数域を、前記遮音対象音の前記特定周波数域と一致させるようにした。【選択図】      図１
2007017553.tif 000002
【特許請求の範囲】
【請求項１】
特定周波数域の遮音対象音を有孔遮音材で遮音する有孔遮音構造であって、前記有孔遮音材のコインシデンス限界周波数域を、前記遮音対象音の前記特定周波数域と一致させるようにしたことを特徴とする有孔遮音構造。
【請求項２】
前記遮音材が、２種以上の材質を組み合わたものからなる請求項１に記載の有孔遮音構造。
【発明の詳細な説明】
【技術分野】
【０００１】
本発明は、特定周波数域の遮音対象音、例えば空調機械室のファンやモーターの騒音などを有孔遮音材で遮音する有孔遮音構造に関する。
【背景技術】
【０００２】
遮音対象音を遮音壁で遮音する場合、遮音壁として無孔の遮音壁を用いるのが一般的であるが、音源側を通気する、あるいは、音源側を透視する、などの目的で、遮音壁として有孔の壁を用いることを求められる場合がある。
【０００３】
しかしながら、遮音壁を有孔にすると、遮音性能の低下を来たし、充分な遮音性能を確保しにくくなる。そのため、従来より種々の改善策が提案されているが、それらは、複雑で手間を要し、コストも高くつくという問題がある。
【特許文献１】特開昭６２−６３９９８号公報
【特許文献２】特開昭６２−４７６９９号公報
【特許文献３】特開２００３−４１５２８号公報
【発明の開示】
【発明が解決しようとする課題】
【０００４】
本発明は、上記のような問題点に鑑み、有孔の遮音材を用いるものでありながら、高い遮音性能を確保することができ、しかも、それを容易に実現することができる有孔遮音構造を提供することを課題とする。
【課題を解決するための手段】
【０００５】
上記の課題において、本発明者は、遮音材が無孔である場合と有孔である場合、並びに、有孔である場合において孔の数や孔のサイズを変えた場合の遮音性能に関する実験を行い、得られたデータの評価を行っていくうち、遮音材のコインシデンス限界周波数領域においては、遮音材が無孔か有孔かにかかわらず、また、有孔である場合に孔の数や孔のサイズに多少の違いがあっても、他の周波数領域における場合に比べて遮音性能に大きな差を生じにくいという性質があることを突き止めた。
【０００６】
その具体的一例を挙示すると、図２（イ）に示すように、厚さ１００ｍｍ、幅６００ｍｍ、長さ１８００ｍｍのＡＬＣ板１１…を５枚並列させたものを遮音材１２とし、図２（ロ）に示すように、開口１３付きの床スラブ１４で上下の室１５，１６に区画された残響室において、床スラブ１４の開口部１３に前記遮音材１２を設置して遮音材１２の有効透過面積を５．０１７ｍ2とし、表１に示すように、遮音材１２が無孔の場合と有孔の場合、そして、有孔の場合に孔の数やサイズを異ならせた場合について、遮音材１２を挟む上下の室１５，１６間のレベル差がどのようになるかを、遮音材１２にドリル穿孔を行いながら計測した。なお、小孔の孔径は６ｍｍとし、中孔の孔径は１４ｍｍとした。図２（イ）には、小孔１７が２５個で開口率が０．０１４０９％の遮音材１２を一例として示している。
【０００７】
その結果、表１及び図３のグラフに示すような計測結果が得られた。この結果によれば、２００〜６３０Ｈｚの範囲の周波数領域、即ち、ＡＬＣ板１１のコインシデンス限界周波数領域において、遮音材１２が無孔か有孔かにかかわらず、また、有孔である場合に孔の数や孔のサイズに多少の違いがあっても、他の周波数領域における場合に比べて、遮音性能にほとんど差を生じないことが明らかである。
【０００８】
即ち、この場合で言えば、遮音しようとする音の主要な周波数流域が２００〜６３０Ｈｚの範囲内のものであれば、その遮音対象音を、上記のようなＡＬＣ板からなる有孔遮音材で効果的に遮音することができる。
【０００９】
本発明は、このような解明に基づいてなされたものであって、上記の課題は、特定周波数域の遮音対象音を有孔遮音材で遮音する有孔遮音構造であって、前記有孔遮音材のコインシデンス限界周波数域を、前記遮音対象音の前記特定周波数域と一致させるようにしたことを特徴とする有孔遮音構造によって解決される。
【００１０】
この有孔遮音構造によれば、有孔遮音材のコインシデンス限界周波数域が、遮音対象音の周波数域と一致しているので、遮音材が有孔であっても遮音材の遮音性能の低下はわずかに抑えられ、有孔の遮音材を用いるものでありながら、その遮音対象音源との関係において、充分な遮音性能を確保することができる。
【００１１】
しかも、有孔遮音材のコインシデンス限界周波数域を遮音対象音の周波数域と一致させることは、遮音材の厚さ寸法や物性などを決めるだけで行うことができ、有孔遮音材による遮音性の確保を容易に行うことができる。
【００１２】
上記の構造において、遮音材が、２種以上の材質を組み合わせたものからなる場合は、有孔遮音材のコインシデンス限界周波数域を広くすることができ、遮音できる音の周波数域を広くすることができる。例えば、ＡＬＣ板は、内部に配筋がなされており、気泡コンクリート部分と鉄筋からなる２種の材質を組み合わせたものからなっており、コインシデンス現象は図３に示すように比較的広い中周波数域において発生する。
【発明の効果】
【００１３】
本発明は、以上のとおりのものであるから、有孔の遮音材を用いるものでありながら、高い遮音性能を確保することができ、しかも、それを容易に実現することができる。
【発明を実施するための最良の形態】
【００１４】
次に、本発明の実施最良形態を図面に基づいて説明する。
【００１５】
図１に示す実施形態は、ファンやモーターが備えられた空調機械１を設置する空調機械室２を囲む壁３を有孔遮音材で構成した場合のもので、該有孔遮音材は、面重量の大きい遮音材、例えばＡＬＣ板からなっていて、該遮音材のコインシデンス限界周波数域は、空調機械１に備えられているファンやモーターから発する音、即ち遮音対象音の周波数域と一致するように、その厚さ寸法や物性などが決められている。また、孔４…の数やサイズについても、空調機械室２の通気を確保でき、しかも、遮音材のコインシデンス限界周波数域における遮音性能の低下を小さく抑えることができるように、できるだけ小さくそして少なく決められている。孔のサイズについては、孔径が遮音壁３の厚さ寸法の１／７以下となるように設定されているとよい。
【００１６】
この有孔遮音構造によれば、有孔壁３を構成する有孔遮音材のコインシデンス限界周波数域が、遮音対象音である空調機械１のファンやモーターから発する音の周波数域と一致しているので、該ファンやモーターから発する音との関係において、壁３が上記のように有孔であっても壁３の遮音性能の低下はわずかに抑えられ、あるいはほとんどなく、空調機械室２におけるファン音やモーター音を効果的に遮音することができ、しかも、空調機械室２内は、壁３の孔４…を通じて通気され、室２内の温度上昇などを防ぐことができる。
【００１７】
以上に、本発明の実施形態を示したが、本発明はこれに限られるものではなく、発明思想を逸脱しない範囲で各種の変更が可能である。例えば、上記の実施形態では、遮音材としてＡＬＣ板を用いた場合を示したが、面重量があって遮音の作用を行う材質のものからなっていればよく、材質についても、一種のものであるか、２種以上の組み合わせものであるは問わない。また、孔の数やサイズ、形態、配置等についても制限はない。また、上記の実施形態では、孔が通気のために備えられている場合を示したが、透視目的など各種目的の孔であってよい。また、遮音対象音については、モーターやファン等の周波数域の比較的狭い機械系の騒音に対する遮音に本発明は極めて有効的であるが、それに限らず、各種音の遮音に用いられてもよい。また、周波数域の一致は、完全一致であってもよいし、重なる部分有する部分一致であってもよい。また、本発明の有効遮音構造は、壁に限らず、天井、床など各種部位に用いることができるものである。
【００１８】
【表１】
2007017553.tif 000003
【図面の簡単な説明】
【００１９】
【図１】実施形態の遮音構造を示す断面正面図である。
【図２】図（イ）は遮音性能試験に用いた遮音材の斜視図、図（ロ）は該遮音材を用いた試験設備の正面図である。
【図３】試験結果を示すグラフである。
【符号の説明】
【００２０】
１…空調機械（遮音対象の音源）
３…有孔壁（有孔遮音材）
４…孔
【図１】
2007017553.tif 000004
【図２】
2007017553.tif 000005
【図３】
2007017553.tif 000006